(57)【要約】【課題】使用者に内部処理の終了を速やかに通知できる貨幣処理装置、貨幣処理システムおよび貨幣処理方法を提供する。【解決手段】貨幣処理装置１は、装置本体と制御部１７と記憶部８１とを含む。制御部１７は、装置本体内における内部処理を実行し、記憶部８１は、内部処理の終了通知の通知先に関する通知先情報を記憶する。制御部１７は、内部処理の終了に応じて、通知先情報から特定される通知先に終了通知を行う。【選択図】図７
2017199116.tif 000002
【特許請求の範囲】
【請求項１】
装置本体と、
前記装置本体内における内部処理を実行する処理手段と、
前記内部処理の終了通知の通知先に関する通知先情報を記憶する記憶手段と、
前記内部処理の終了に応じて、前記通知先情報から特定される通知先に前記終了通知を行う通知手段とを含む、貨幣処理装置。
【請求項２】
前記記憶手段は、複数の前記通知先のそれぞれに対応する前記通知先情報を記憶しており、
前記通知先の指定を受け付ける受付手段を含み、
前記通知手段は、前記受付手段にて指定された前記通知先に対応する前記通知先情報から特定される通知先に前記終了通知を行う、請求項１に記載の貨幣処理装置。
【請求項３】
外部機器から、当該外部機器を通知先とするための前記通知先情報を取得する取得手段を含む、請求項１または２に記載の貨幣処理装置。
【請求項４】
前記内部処理の終了タイミングを特定する特定手段を含み、
前記通知手段は、前記終了タイミングよりも前のタイミングにおいて、前記通知先に前記終了通知を行う、請求項１〜３のいずれか一項に記載の貨幣処理装置。
【請求項５】
前記終了タイミングよりも前のタイミングにおいて前記通知手段によって通知される前記終了通知は、前記内部処理の終了までの残り時間に関する情報を含む、請求項４に記載の貨幣処理装置。
【請求項６】
前記内部処理における異常発生を検知する検知手段を含み、
前記検知手段が異常発生を検知した場合に、前記通知手段は、異常発生を前記通知先に通知する、請求項１〜５のいずれか一項に記載の貨幣処理装置。
【請求項７】
前記終了通知は、前記内部処理の結果に関する情報を含む、請求項１〜６のいずれか一項に記載の貨幣処理装置。
【請求項８】
請求項１〜７のいずれか一項に記載の貨幣処理装置と、
前記通知先となる外部機器とを含む、貨幣処理システム。
【請求項９】
貨幣処理装置における内部処理の終了通知の通知先を設定する設定工程と、
前記内部処理の終了に応じて、設定された前記通知先に前記終了通知を行う通知工程とを含む、貨幣処理方法。
【発明の詳細な説明】
【技術分野】
【０００１】
この発明は、貨幣処理装置、貨幣処理システムおよび貨幣処理方法に関する。
【背景技術】
【０００２】
下記特許文献１の紙幣処理装置は、入出金口および表示部が設けられた筐体と、筐体内に設けられた一時保留部、収納カセットおよび複数の金種別収納庫と、筐体内において入出金口、一時保留部、収納カセットおよび各金種別収納庫の間で紙幣を搬送する搬送部とを含む。紙幣処理装置では、入金処理、出金処理、回収処理および補充処理が行われる。入金処理では、入出金口に投入された紙幣が各金種別収納庫に収納される。出金処理では、紙幣が各金種別収納庫から繰り出されて入出金口まで搬送される。回収処理では、各金種別収納庫の紙幣が収納カセットに移された後に収納カセットごと回収される。補充処理では、補充用の紙幣を収納した収納カセットが筐体に装填されて、収納カセットから各金種別収納庫に補充用の紙幣が移される。
【先行技術文献】
【特許文献】
【０００３】
【特許文献１】特許第５５９１５９９号公報
【発明の概要】
【発明が解決しようとする課題】
【０００４】
特許文献１の紙幣処理装置に限らず、一般的な貨幣処理装置では、内部処理が終了すると、その旨が表示部に表示される。時間のかかる内部処理の場合、内部処理が終了した旨が表示部に表示されるまで使用者が貨幣処理装置の前で待ち続けるのであれば、使用者にとって時間の無駄であり、作業効率が悪い。かといって、使用者が内部処理中の貨幣処理装置から離れて別の作業を行っていると、内部処理の終了が、使用者によって気付かれないまま放置される虞がある。
【０００５】
この発明は、かかる背景のもとでなされたもので、使用者に内部処理の終了を速やかに通知できる貨幣処理装置、貨幣処理システムおよび貨幣処理方法を提供することを目的とする。
【課題を解決するための手段】
【０００６】
本発明は、装置本体と、前記装置本体内における内部処理を実行する処理手段と、前記内部処理の終了通知の通知先に関する通知先情報を記憶する記憶手段と、前記内部処理の終了に応じて、前記通知先情報から特定される通知先に前記終了通知を行う通知手段とを含む、貨幣処理装置である。
【０００７】
また、本発明は、前記記憶手段は、複数の前記通知先のそれぞれに対応する前記通知先情報を記憶しており、前記通知先の指定を受け付ける受付手段を含み、前記通知手段は、前記受付手段にて指定された前記通知先に対応する前記通知先情報から特定される通知先に前記終了通知を行うことを特徴とする。
【０００８】
また、本発明は、外部機器から、当該外部機器を通知先とするための前記通知先情報を取得する取得手段を含むことを特徴とする。
【０００９】
また、本発明は、前記内部処理の終了タイミングを特定する特定手段を含み、前記通知手段は、前記終了タイミングよりも前のタイミングにおいて、前記通知先に前記終了通知を行うことを特徴とする。
【００１０】
また、本発明は、前記終了タイミングよりも前のタイミングにおいて前記通知手段によって通知される前記終了通知は、前記内部処理の終了までの残り時間に関する情報を含むことを特徴とする。
【００１１】
また、本発明は、前記内部処理における異常発生を検知する検知手段を含み、前記検知手段が異常発生を検知した場合に、前記通知手段は、異常発生を前記通知先に通知することを特徴とする。
【００１２】
また、本発明は、前記終了通知は、前記内部処理の結果に関する情報を含むことを特徴とする。
【００１３】
また、本発明は、以上の貨幣処理装置と、前記通知先となる外部機器とを含む、貨幣処理システムである。
【００１４】
また、本発明は、貨幣処理装置における内部処理の終了通知の通知先を設定する設定工程と、前記内部処理の終了に応じて、設定された前記通知先に前記終了通知を行う通知工程とを含む、貨幣処理方法である。
【発明の効果】
【００１５】
本発明によれば、貨幣処理装置では、装置本体内における内部処理の終了通知の通知先に関する通知先情報が記憶手段に記憶されていて、内部処理の終了に応じて、通知手段が、通知先情報から特定される通知先に終了通知を行う。そのため、例えば離れた場所にいる使用者の居場所や持ち物を通知先として指定しておけば、この使用者に内部処理の終了を速やかに通知できる。なお、「内部処理の終了に応じて通知先に終了通知を行うということ」は、内部処理の終了タイミングに終了通知を行うことだけでなく、終了タイミングよりも前のタイミングに終了通知を行うことや、場合によっては終了タイミングよりも後のタイミングに終了通知を行うことも含む。
【図面の簡単な説明】
【００１６】
【図１】図１は、本発明の一実施形態に係る貨幣処理システムが適用された施設の内部レイアウトを示す模式図である。
【図２】図２は、図１における貨幣処理装置の内部構成を示す概略正面図である。
【図３】図３は、貨幣処理装置の斜視図である。
【図４】図４は、貨幣処理装置における紙幣処理部の概要を示す模式図である。
【図５】図５は、貨幣処理装置におけるバラ硬貨処理部の概要を示す模式図である。
【図６】図６は、貨幣処理装置における包装硬貨処理部の概要を示す模式図である。
【図７】図７は、貨幣処理装置の電気的構成を示すブロック図である。
【図８】図８は、貨幣処理装置において実施される処理の手順を示すフローチャートである。
【図９】図９は、貨幣処理装置の表示操作部における表示内容の一例を示す図である。
【図１０】図１０は、表示操作部における表示内容の一例を示す図である。
【図１１】図１１は、表示操作部における表示内容の一例を示す図である。
【図１２】図１２は、表示操作部における表示内容の一例を示す図である。
【図１３】図１３は、表示操作部における表示内容の一例を示す図である。
【発明を実施するための形態】
【００１７】
以下では、この発明の実施の形態を、添付図面を参照して詳細に説明する。図１は、本発明の一実施形態に係る貨幣処理システム１００が適用された施設Ａの内部レイアウトを示す模式図である。施設Ａは、この実施形態では銀行であるが、金融機関に関する施設に限らず、一般的な店舗等であってもよい。銀行である場合の施設Ａ内には、破線で示した境界によって区切られたＡＴＭコーナーＢ、窓口ＣおよびバックヤードＤが設けられている。貨幣処理システム１００は、貨幣処理装置１と、報知装置２と、携帯端末３と、管理装置４とを含む。
【００１８】
貨幣処理装置１は、ＡＴＭコーナーＢに設置された両替機１ＡおよびＡＴＭ（Automated Teller Machine）１Ｂと、バックヤードＤに設置された出納機１Ｃとを含む。両替機１Ａ、ＡＴＭ１Ｂおよび出納機１Ｃのそれぞれの台数は、任意に設定できる。両替機１Ａ、ＡＴＭ１Ｂおよび出納機１Ｃのそれぞれは、紙幣および硬貨といった貨幣についての内部処理を行う装置である。両替機１Ａは、主に両替取引や釣銭準備の支払い処理を行う装置であり、ＡＴＭ１Ｂは、貨幣の預入れや払戻しや振込み等を行う装置であり、出納機１Ｃは、入出金機能を有し、施設Ａの全体における貨幣を管理する装置である。
【００１９】
報知装置２は、各貨幣処理装置１の作動状態を使用者（ここでは施設Ａの係員）に報知するための装置であり、少なくとも窓口Ｃに設置されるが、ＡＴＭコーナーＢやバックヤードＤに設置されてもよい。報知装置２の一例は、作動状態を係員に対して目視可能に報知するモニタや、回転灯や、ブザーである。モニタである場合の報知装置２の表示部には、例えば各貨幣処理装置１における貨幣の金種別収納数等が表示されてもよい。
【００２０】
携帯端末３は、表示部３Ａを有するスマートフォンやタブレット端末等であって、係員によって携帯される。この実施形態に関し、携帯端末３は、貨幣処理装置１における内部処理が終了した場合に、その終了通知の通知先となる（詳しくは後述する）。
【００２１】
管理装置４は、コンピュータを用いて構成されている。管理装置４は、各貨幣処理装置１および各報知装置２に対して、有線または無線の通信回線で構成されたＬＡＮ５を介して通信可能に接続されている。さらに、管理装置４は、公衆回線６を介して施設Ａの外の管理センター７に対しても通信可能に接続されている。管理センター７は、施設Ａを含む複数の施設を管理するための外部の集中管理装置である。
【００２２】
次に、両替機１Ａを例にとって、貨幣処理装置１の詳細について説明する。図２は、両替機１Ａの内部構成を示す概略正面図である。両替機１Ａは、ボックス状の装置本体１０と、装置本体１０内に収容された電源部１１、カード処理部１２、プリンタ部１３、紙幣処理部１４、バラ硬貨処理部１５、包装硬貨処理部１６および制御部１７とを含む。なお、これらの部品の装置本体１０内におけるレイアウトは、任意に変更できる。バラ硬貨処理部１５および包装硬貨処理部１６に関し、バラ硬貨は、文字通りバラの硬貨であるのに対し、包装硬貨は、例えば５０枚等の所定数毎にまとまった状態で包装された硬貨である。カード処理部１２、プリンタ部１３、紙幣処理部１４、バラ硬貨処理部１５、包装硬貨処理部１６および制御部１７は、電源部１１から供給された電力によって作動する電気部品である。
【００２３】
図３は、両替機１Ａを前側から見た斜視図である。装置本体１０の前側上部は、Ｌ字状に切り欠かれている。装置本体１０の前面は、略垂直に延びる垂直面２０と、垂直面２０の上端から後側へ略水平に延びる水平面２１と、水平面２１の後端から後上側へ少し傾斜して延びる傾斜面２２とを含む。傾斜面２２における幅方向の略中央部には、受付手段の一例としての表示操作部２３が設けられている。表示操作部２３は、例えばタッチパネルディスプレイによって構成されている。
【００２４】
傾斜面２２における表示操作部２３の右隣には、バラ硬貨出金口２４が形成されている。バラ硬貨出金口２４は、モータ等の駆動部（図示せず）の駆動力を受けてスライドする第１シャッター２５によって開閉される。傾斜面２２においてバラ硬貨出金口２４の上方には、貨幣処理装置１が両替機１Ａであることを示す「両替」という表示が付されている。傾斜面２２において表示操作部２３の下方には、カード挿入口２６とレシート発行口２７とが、左右に並んで設けられている。顧客や係員といった使用者のカード（図示せず）がカード挿入口２６に挿入されると、カード処理部１２（図２参照）は、このカードに記憶された情報を読み取ってカード挿入口２６から使用者に返却する。プリンタ部１３は、両替取引や釣銭準備の支払い処理が行われた場合における明細をレシート（図示せず）に印字して、このレシートをレシート発行口２７から顧客に発行する。
【００２５】
水平面２１において、左側に包装硬貨出金口２８が形成され、右側に紙幣入出金口２９が形成されている。包装硬貨出金口２８は、モータ等の駆動部（図示せず）の駆動力を受けてスライドする第２シャッター３０によって開閉される。紙幣入出金口２９は、第２シャッター３０と同様にスライドする第３シャッター３１によって開閉される。
【００２６】
図４は、紙幣処理部１４の概要を示す模式図である。紙幣処理部１４は、紙幣を金種毎（例えば、一万円札、五千円札および千円札の３金種毎）に収納していて、両替取引や釣銭準備の支払い処理の際に、必要な額に相当する金種および枚数の紙幣を紙幣入出金口２９に払い出す。また、紙幣処理部１４は、両替取引や釣銭準備の支払い処理の際に顧客によって紙幣入出金口２９に投入された紙幣を取り込んで識別した後に収納する。紙幣処理部１４は、装置本体１０内に設けられた収納庫３５、取込搬送路３６、環状搬送路３７、取出搬送路３８、入金リジェクト部３９、装填リジェクト部４０、出金リジェクト部４１、補充トレイ４２および識別部４３を含む。
【００２７】
収納庫３５は、箱状に形成され、複数（ここでは５つ）存在し、前後（図４では左右）に並んで配置されている。各収納庫３５は、装置本体１０に対して着脱可能である。５つ並んだ収納庫３５のうち、３つの収納庫３５は、出金のために準備された紙幣が金種毎に積層状態で収納される第１出金庫３５Ａ、第２出金庫３５Ｂおよび第３出金庫３５Ｃである。別の１つの収納庫３５は、入金された紙幣を一時的に収納する一時保留部３５Ｄであり、残りの１つの収納庫３５は、入金された紙幣が最終的に収納される入金庫３５Ｅである。第１出金庫３５Ａ、第２出金庫３５Ｂ、第３出金庫３５Ｃ、一時保留部３５Ｄおよび入金庫３５Ｅが、前側（図４では左側）からこの順番で並んでいる。一例として、第１出金庫３５Ａには、一万円札の紙幣が収納され、第２出金庫３５Ｂには、五千円札の紙幣が収納され、第３出金庫３５Ｃには、千円札の紙幣が収納される。入金庫３５Ｅに収納される紙幣では、複数の金種が混合している。
【００２８】
取込搬送路３６は、紙幣入出金口２９に入金された紙幣を１枚ずつ取り込み、環状搬送路３７へ送るための搬送路である。環状搬送路３７は、上下に扁平なループ状をなしている。環状搬送路３７内の紙幣は、５つの収納庫３５の上方において、図４における時計回りおよび反時計回りのどちらかに循環するように搬送される。
【００２９】
取出搬送路３８は、環状搬送路３７内の紙幣を、紙幣入出金口２９や、紙幣入出金口２９と一体的に設けられた入金リジェクト部３９に送るための搬送路である。環状搬送路３７の下側部分には、分岐路４６、４７、４８、４９、５０および５１の各一端が、環状搬送路３７内における紙幣の搬送方向に沿って、この順番で接続されている。分岐路４６の他端は、第１出金庫３５Ａにつながっている。分岐路４７の他端は、第２出金庫３５Ｂにつながっている。分岐路４８の他端は、第３出金庫３５Ｃにつながっている。分岐路４９の他端は、一時保留部３５Ｄにつながっている。分岐路５０の他端は、入金庫３５Ｅにつながっている。分岐路５１に関連して、前述した補充トレイ４２が、複数（ここでは３つ）存在し、上下に並んでいる。各補充トレイ４２は、紙幣を収納できるトレイ状に形成されている。分岐路５１の他端は、分岐し、３つの補充トレイ４２のそれぞれにつながっている。
【００３０】
環状搬送路３７の上側部分には、分岐路５２の一端が接続されている。分岐路５２の他端は、装填リジェクト部４０につながっている。取込搬送路３６の途中には、分岐路５３の一端がつながっている。分岐路５３の他端は、出金リジェクト部４１につながっている。
【００３１】
取込搬送路３６、環状搬送路３７、取出搬送路３８、分岐路４６、４７、４８、４９、５０、５１、５２および５３といった搬送路には、紙幣を搬送するために回転する搬送ローラ（図示せず）や周回移動する搬送ベルト（図示せず）が設けられている。モータ等の駆動部（図示せず）の駆動力を受けて、搬送ローラが回転し、搬送ベルトが周回移動する。搬送ローラは、各収納庫３５にも設けられ、分岐路４６〜５０において対応する分岐路からの紙幣を収納庫３５内に取り込んだり、収納庫３５内の紙幣を当該分岐路へ送り出したりする。搬送ローラは、各補充トレイ４２にも設けられ、補充トレイ４２内の紙幣を分岐路５１へ送り出す。
【００３２】
環状搬送路３７と分岐路４６〜５２のそれぞれとの接続位置には、分岐爪（図示せず）が設けられており、分岐爪の向きは、ソレノイド等の駆動部（図示せず）の作動に応じて切り換わる。これによって、環状搬送路３７内の紙幣を分岐路４６〜５２へ搬送することができる。この分岐爪は、取込搬送路３６と環状搬送路３７との接続位置、取込搬送路３６と分岐路５３との接続位置、および、取出搬送路３８と環状搬送路３７との接続位置のそれぞれに設けられている。また、この分岐爪は、分岐路５１において各補充トレイ４２に分岐した部分にも設けられている。
【００３３】
識別部４３は、環状搬送路３７の上側部分の途中、詳しくは、環状搬送路３７において取込搬送路３６に接続された部分と、分岐路５２に接続された部分との間に配置されている。識別部４３は、環状搬送路３７において搬送される紙幣の金種、正損、真偽等を識別する一般的なセンサである。損傷のある紙幣や偽の紙幣は、リジェクト紙幣であると識別部４３によって識別される。
【００３４】
紙幣を入出金する場合における両替取引について説明すると、顧客の紙幣は、紙幣入出金口２９に払い込まれることによって入金され、その後、取込搬送路３６を通って環状搬送路３７に進入する。この紙幣は、環状搬送路３７によって時計回りに搬送され、識別部４３によって識別される。リジェクト紙幣であると識別部４３によって識別された紙幣は、全ての収納庫３５上を通過して環状搬送路３７から取出搬送路３８へと搬送され、入金リジェクト部３９から顧客に返却される。
【００３５】
リジェクト紙幣でないと識別部４３によって識別された紙幣は、分岐路４９を経て一時保留部３５Ｄに一時保留される。その後、顧客によって出金用に指定された金種の紙幣が、一時保留部３５Ｄに一時保留されている紙幣の総額分だけ、対応する第１出金庫３５Ａ〜第３出金庫３５Ｃから環状搬送路３７へ繰り出されて取出搬送路３８を通過した後に、紙幣入出金口２９から顧客に出金される。出金に応じて一時保留部３５Ｄの紙幣が入金庫３５Ｅに収納されると、両替取引が完了する。なお、釣銭用の紙幣を出金する釣銭準備の支払い処理の場合には、入金処理を行うことなく、釣銭用に必要な金種および枚数の紙幣が、第１出金庫３５Ａ〜第３出金庫３５Ｃから環状搬送路３７に繰り出されて取出搬送路３８を通過した後に、紙幣入出金口２９から顧客に払い出される。
【００３６】
なお、両替取引および釣銭準備の支払い処理のいずれにおいても、第１出金庫３５Ａ〜第３出金庫３５Ｃから取り出されて環状搬送路３７において搬送されている出金途中の紙幣は、識別部４３を通過する。その際、出金途中の紙幣がリジェクト紙幣であるか否かが識別部４３によって識別される。リジェクト紙幣であると識別部４３によって識別された紙幣は、環状搬送路３７から取込搬送路３６および分岐路５３を通過して出金リジェクト部４１に受け渡される。出金リジェクト部４１のリジェクト紙幣は、係員によって回収される。
【００３７】
図５は、バラ硬貨処理部１５の概要を示す模式図である。バラ硬貨処理部１５は、バラ硬貨を金種毎（例えば、五百円硬貨、百円硬貨および五十円硬貨の３金種毎）に収納していて、両替取引や釣銭準備の支払い処理の際に、必要な額に相当する金種および枚数のバラ硬貨をバラ硬貨出金口２４に払い出す。バラ硬貨処理部１５は、装置本体１０内に設けられた硬貨出金庫５５および搬送路５６を含む。
【００３８】
硬貨出金庫５５は、ホッパ状に形成され、複数（ここでは５つ）存在し、前後（図５では左右）に並んで配置される。各硬貨出金庫５５の底部には、硬貨を１枚ずつ繰り出す繰出機構（図示せず）と、繰り出された硬貨の金種、正損、真偽等を識別する識別部５７とが設けられている。５つの硬貨出金庫５５のうち、１つは、補充用のバラ硬貨が収納される補充用硬貨出金庫５５Ａであり、残りの４つは、出金のために準備されたバラ硬貨が収納される第１硬貨出金庫５５Ｂ、第２硬貨出金庫５５Ｃ、第３硬貨出金庫５５Ｄおよび第４硬貨出金庫５５Ｅである。
【００３９】
補充用硬貨出金庫５５Ａ、第１硬貨出金庫５５Ｂ、第２硬貨出金庫５５Ｃ、第３硬貨出金庫５５Ｄおよび第４硬貨出金庫５５Ｅは、後側（図５では左側）からこの順番で並んでいる。一例として、第１硬貨出金庫５５Ｂには、五十円硬貨が収納され、第２硬貨出金庫５５Ｃには、百円硬貨が収納され、第３硬貨出金庫５５Ｄには、五百円硬貨が収納され、第４硬貨出金庫５５Ｅには、五十円硬貨、百円硬貨および五百円硬貨のいずれかの硬貨または別の金種の硬貨（例えば十円硬貨）が収納される。これらの硬貨出金庫５５Ａ〜５５Ｅのうち、最後部に位置する補充用硬貨出金庫５５Ａのみが、装置本体１０に対して着脱可能に構成される。
【００４０】
搬送路５６は、各硬貨出金庫５５から繰り出されたバラ硬貨を搬送するための搬送路であって、５つの硬貨出金庫５５を上下に取り囲むように配置されている。そのため、搬送路５６は、５つの硬貨出金庫５５の下方に跨って延びる下側搬送路５６Ａと、下側搬送路５６Ａに連通し、５つの硬貨出金庫５５の上方に跨って延びる上側搬送路５６Ｂとを含む。搬送路５６において出金のために搬送されるバラ硬貨の搬送方向は、図５における時計回りである。バラ硬貨の搬送方向における上側搬送路５６Ｂの下流端は、バラ硬貨出金口２４につながっている。
【００４１】
下側搬送路５６Ａには、繰出通路５８、５９、６０、６１および６２の各一端が、バラ硬貨の搬送方向に沿って、この順番で接続されている。繰出通路５８の他端は、補充用硬貨出金庫５５Ａの底部につながっている。繰出通路５９の他端は、第１硬貨出金庫５５Ｂの底部につながっている。繰出通路６０の他端は、第２硬貨出金庫５５Ｃの底部につながっている。繰出通路６１の他端は、第３硬貨出金庫５５Ｄの底部につながっている。繰出通路６２の他端は、第４硬貨出金庫５５Ｅの底部につながっている。各硬貨出金庫５５内のバラ硬貨は、硬貨出金庫５５の底部の繰出機構（図示せず）によって、繰出通路５８〜６２のいずれかに繰り出されて、下側搬送路５６Ａに進入する。
【００４２】
上側搬送路５６Ｂには、補充通路６３、６４、６５、６６および６７の各一端が、バラ硬貨の搬送方向に沿って、この順番で接続されている。補充通路６３の他端は、補充用硬貨出金庫５５Ａの上部につながっている。補充通路６４の他端は、第１硬貨出金庫５５Ｂの上部につながっている。補充通路６５の他端は、第２硬貨出金庫５５Ｃの上部につながっている。補充通路６６の他端は、第３硬貨出金庫５５Ｄの上部につながっている。補充通路６７の他端は、第４硬貨出金庫５５Ｅの上部につながっている。
【００４３】
搬送路５６には、前述した搬送ローラや搬送ベルト等によって構成された搬送機構（図示せず）がバラ硬貨を搬送するために設けられている。搬送機構がモータ等の駆動部（図示せず）の駆動力を受けると、下側搬送路５６Ａ内のバラ硬貨は、上側搬送路５６Ｂに送り出され、上側搬送路５６Ｂを通過した後にバラ硬貨出金口２４に送られる。前述した分岐爪（図示せず）は、上側搬送路５６Ｂと補充通路６３〜６７のそれぞれとの接続位置にも設けられており、この分岐爪の向きを切り換えることによって、上側搬送路５６Ｂ内のバラ硬貨を、補充通路６３〜６７を介して所望の硬貨出金庫５５に送り込むことができる。
【００４４】
バラ硬貨を出金する場合における両替取引について説明すると、この両替取引のために入金された顧客の紙幣が、前述したように紙幣処理部１４の一時保留部３５Ｄに一時保留される。その後、顧客によって指定された金種のバラ硬貨が、一時保留部３５Ｄに一時保留されている紙幣の総額分だけ、対応する第１硬貨出金庫５５Ｂ〜第４硬貨出金庫５５Ｅから繰り出されて、下側搬送路５６Ａおよび上側搬送路５６Ｂをこの順番にて通過した後に、バラ硬貨出金口２４から顧客に出金される。これに応じて、紙幣処理部１４において一時保留部３５Ｄの紙幣が入金庫３５Ｅに収納されると、バラ硬貨に関する両替取引が完了する。また、バラ硬貨を出金する釣銭準備の支払い処理の場合には、入金処理を行うことなく、釣銭用に必要な金種および枚数のバラ硬貨が、第１硬貨出金庫５５Ｂ〜第４硬貨出金庫５５Ｅから繰り出されて搬送路５６を通過した後に、バラ硬貨出金口２４から顧客に払い出される。
【００４５】
なお、両替取引および釣銭準備の支払い処理のいずれにおいても、出金のために第１硬貨出金庫５５Ｂ〜第４硬貨出金庫５５Ｅから取り出された硬貨は、繰出機構によって繰り出された後に下側搬送路５６Ａに到達する前に識別部５７を通過する。識別部５７は、前述した識別部４３と同じ機能をする。そのため、出金途中に識別部５７を通過する硬貨がリジェクト硬貨であるか否かが識別部５７によって識別される。リジェクト硬貨であると識別部５７によって識別された硬貨は、搬送路５６において搬送されてバラ硬貨出金口２４を通過した後に、バラ硬貨出金口２４よりも下流側の出金リジェクト部６８に収納される。出金リジェクト部６８のリジェクト硬貨は、係員によって回収される。
【００４６】
図６は、包装硬貨処理部１６の概要を示す模式図である。包装硬貨処理部１６は、円柱状になった包装硬貨Ｋを金種毎（例えば、五百円硬貨、百円硬貨、五十円硬貨、十円硬貨、五円硬貨および一円硬貨の６金種毎）に収納していて、両替取引や釣銭準備の支払い処理の際に、必要な額に相当する金種および本数の包装硬貨Ｋを包装硬貨出金口２８に払い出す。包装硬貨処理部１６は、包装硬貨Ｋを収容する複数（例えば６つ）のカセット７２と、カセット７２に収容されている包装硬貨Ｋを包装硬貨出金口２８に払い出すための払出機構７３とを含む。
【００４７】
払出機構７３は、装置本体１０内において包装硬貨出金口２８の下方の領域に配置されている。払出機構７３は、上面が開放された箱状のバケット７４と、バケット７４を包装硬貨出金口２８の直下の上位置（破線のバケット７４を参照）と最下方の下位置（実線のバケット７４を参照）との間で昇降させる昇降機構７５と、カセット７２から包装硬貨Ｋをバケット７４内へ繰り出すための繰出部７６とを含む。昇降機構７５は、モータ等の駆動部（図示せず）によって構成される。繰出部７６は、バケット７４に取り付けられ、バケット７４とともに昇降する（１点鎖線の矢印を参照）。
【００４８】
カセット７２は、装置本体１０内において払出機構７３よりも後側（図６では右側）の領域に配置されている。カセット７２は、前後方向に長手のトレイ形状に形成されている。また、カセット７２は、その左右方向（図６の紙面に垂直な方向）における両側面を塞いだ側板（図示せず）も含む。複数のカセット７２は、水平方向に対して後上側へ傾斜した姿勢で上下方向に並んで配置されている。各カセット７２は、装置本体１０内に設けられた支持部材（図示せず）によって支持された状態において、モータ等の駆動部（図示せず）の駆動力によって、カセット７２の傾斜に沿って前後にスライド可能である。装置本体１０の後壁には、カセット７２にアクセスするための開口部１０Ａと、開口部１０Ａを開閉する扉７７とが設けられている。係員は、扉７７を開くことによって、開口部１０Ａから各カセット７２に包装硬貨Ｋを補充できる。
【００４９】
各カセット７２には、五百円硬貨、百円硬貨、五十円硬貨、十円硬貨、五円硬貨および一円硬貨のいずれかの金種の包装硬貨Ｋが、カセット７２の左右方向に長手となった状態で、カセット７２の傾斜に沿って並んで収納される。カセット７２内において、これらの包装硬貨Ｋは、自重によって、まとまった状態で前側の払出機構７３へ向けて片寄っており、カセット７２において上側へ湾曲した前端部７２Ａによって前側からせき止められている。
【００５０】
包装硬貨Ｋを出金する場合における両替取引について説明すると、この両替取引のために入金された顧客の紙幣が、前述したように紙幣処理部１４の一時保留部３５Ｄに一時保留される。すると、今まで下位置にあったバケット７４が、顧客によって指定された金種の包装硬貨Ｋを収容するカセット７２の前端部７２Ａまで上昇する。その後、このカセット７２内の包装硬貨Ｋが、繰出部７６において例えばモータ等の駆動部によって駆動回転される爪（図示せず）に引っ掛けられることによって、前側の包装硬貨Ｋから順にバケット７４へ１本ずつ繰り出される。
【００５１】
必要な金種の包装硬貨Ｋが必要数だけ各カセット７２からバケット７４に繰り出されると、バケット７４は、上位置まで上昇する。その後、第２シャッター３０が開いて、バケット７４内の包装硬貨Ｋは、包装硬貨出金口２８に露出されて顧客に出金される。これに応じて、紙幣処理部１４において一時保留部３５Ｄの紙幣が入金庫３５Ｅに収納されると、包装硬貨に関する両替取引が完了する。また、包装硬貨Ｋを出金する釣銭準備の支払い処理の場合には、両替取引と同様に、釣銭用に必要な金種および本数の包装硬貨Ｋが、各カセット７２からバケット７４に取り出され、包装硬貨出金口２８から顧客に払い出される。
【００５２】
包装硬貨処理部１６は、モータ等の駆動部の駆動料力を受けてカセット７２の傾斜に沿ってスライド可能な計数部７８を含む。計数部７８は、スライドする際に、カセット７２内の包装硬貨Ｋにおいて長手方向の端部に位置する硬貨の模様等から当該包装硬貨Ｋの金種や真偽を識別するとともに、包装硬貨Ｋを１本ずつ計数する。計数部７８として、光学式の計数センサ等の公知のものを用いることができる。計数部７８は、カセット７２毎に設けられてもよいし、１つの計数部７８が、各カセット７２まで昇降することによって、全てのカセット７２の包装硬貨Ｋを識別および計数できてもよい。
【００５３】
図７は、貨幣処理装置の電気的構成を示すブロック図である。制御部１７は、例えばマイクロコンピュータによって構成されていて、処理手段、通知手段、受付手段および特定手段の一例として機能する。制御部１７には、電源部１１、カード処理部１２、プリンタ部１３、紙幣処理部１４、バラ硬貨処理部１５、包装硬貨処理部１６、表示操作部２３、第１シャッター２５、第２シャッター３０および第３シャッター３１のそれぞれと、通信Ｉ／Ｆ部８０と、記憶手段の一例としての記憶部８１とが電気的に接続されている。
【００５４】
制御部１７は、カード挿入口２６に挿入されたカードに記憶された情報をカード処理部１２によって読み取ってカード挿入口２６から返却する。制御部１７は、プリンタ部１３によってレシートを印刷してレシート発行口２７から発行する。
【００５５】
制御部１７は、紙幣処理部１４における前述した駆動部（図示せず）を制御する。これにより、制御部１７は、各収納庫３５と、紙幣入出金口２９、入金リジェクト部３９、装填リジェクト部４０、出金リジェクト部４１および各補充トレイ４２のそれぞれとの間において紙幣を移動させたり、収納庫３５同士の間において紙幣を移動させたり、第３シャッター３１を開閉したりすることができる（図３および図４参照）。紙幣処理部１４の識別部４３による紙幣の識別結果は、制御部１７に入力される。
【００５６】
制御部１７は、バラ硬貨処理部１５における前述した駆動部（図示せず）を制御する。これによって、制御部１７は、各硬貨出金庫５５からバラ硬貨出金口２４や出金リジェクト部６８までバラ硬貨を移動させたり、硬貨出金庫５５同士の間においてバラ硬貨を移動させたり、第１シャッター２５を開閉したりすることができる（図３および図５参照）。バラ硬貨処理部１５の各識別部５７によるバラ硬貨の識別結果は、制御部１７に入力される。
【００５７】
制御部１７は、包装硬貨処理部１６における前述した駆動部（図示せず）を制御する。これによって、制御部１７は、各カセット７２の包装硬貨Ｋを包装硬貨出金口２８まで移動させたり、第２シャッター３０を開閉したりすることができる。包装硬貨処理部１６の計数部７８による包装硬貨Ｋの識別結果および計数結果は、制御部１７に入力される。なお、制御部１７をメイン制御部として、紙幣処理部１４、バラ硬貨処理部１５および包装硬貨処理部１６のそれぞれにサブ制御部（図示せず）を設け、紙幣処理部１４、バラ硬貨処理部１５および包装硬貨処理部１６のそれぞれの動作は、メイン制御部の指示を受けたサブ制御部によって制御されてもよい。
【００５８】
制御部１７は、係員や顧客による表示操作部２３の操作を受け付けたり、表示操作部２３の表示を制御したりすることができる。通信Ｉ／Ｆ部８０は、制御部１７が他の貨幣処理装置１や報知装置２や管理装置４や管理センター７と通信したり、携帯端末３と無線通信したりするためのインターフェース部であって、ＬＡＮ５に接続されている（図１参照）。記憶部８１は、不揮発性メモリやハードディスクドライブといった記憶デバイスによって構成されていて、両替機１Ａに関する様々な情報を記憶している。制御部１７は、両替機１Ａの装置本体１０内において、前述した両替取引や釣銭準備の支払い処理といった処理の他に、例えば初期計数装填、追加計数装填、回収、精査といった内部処理も実行できる。
【００５９】
初期計数装填に関し、施設Ａの営業終了後には両替機１Ａから紙幣および硬貨が取り出されて回収されるので、翌日の施設Ａの営業を開始するときに、両替機１Ａに出金用の紙幣および硬貨を装填するための内部処理として初期計数装填が実行される。紙幣についての初期計数装填の場合には、図４を参照して、まず、係員が、出金用の紙幣が収納された第１出金庫３５Ａ〜第３出金庫３５Ｃを装置本体１０に装着する。
【００６０】
次に、制御部１７は、例えば第１出金庫３５Ａ内の紙幣を、識別部４３を通さずに一時保留部３５Ｄに移し替えた後に（破線の矢印Ｙ１を参照）、一時保留部３５Ｄから取り出して識別部４３を経由するように環状搬送路３７において反時計回りに搬送してから第１出金庫３５Ａに戻す。一時保留部３５Ｄから第１出金庫３５Ａに向かう紙幣は、識別部４３によって識別される。この際に、リジェクト紙幣であると識別された紙幣は、装填リジェクト部４０に搬送される。識別部４３は、紙幣を１枚ずつ識別することによって計数することもできる。そのため、制御部１７は、第１出金庫３５Ａにおける紙幣の収納数を、この紙幣の金種と関連付けて記憶部８１に記憶する。制御部１７が、第１出金庫３５Ａと同様の処理を、第２出金庫３５Ｂおよび第３出金庫３５Ｃのそれぞれについて繰り返すと、紙幣についての初期計数装填が終了する。
【００６１】
バラ硬貨についての初期計数装填の場合には、図５を参照して、まず、係員が、出金用のバラ硬貨を、装置本体１０内の第１硬貨出金庫５５Ｂ〜第４硬貨出金庫５５Ｅに投入する。すると、制御部１７は、例えば第１硬貨出金庫５５Ｂ内のバラ硬貨を、補充用硬貨出金庫５５Ａに移し替えた後に（破線の矢印Ｙ２を参照）、補充用硬貨出金庫５５Ａの底部の識別部５７を経由して第１硬貨出金庫５５Ｂに戻す（破線の矢印Ｙ３を参照）。補充用硬貨出金庫５５Ａから第１硬貨出金庫５５Ｂに向かうバラ硬貨は、補充用硬貨出金庫５５Ａの底部の識別部５７によって識別される。この際に、リジェクト硬貨（識別不能硬貨や金種間違い硬貨）であると識別されたバラ硬貨は、第１シャッター２５が閉鎖された状態におけるバラ硬貨出金口２４に搬送される。識別部５７は、バラ硬貨を１枚ずつ識別することによって計数することもできる。そのため、制御部１７は、第１硬貨出金庫５５Ｂにおけるバラ硬貨の収納数を、このバラ硬貨の金種と関連付けて記憶部８１に記憶する。制御部１７が、第１硬貨出金庫５５Ｂと同様の処理を、第２硬貨出金庫５５Ｃ〜第４硬貨出金庫５５Ｅのそれぞれについて繰り返すと、バラ硬貨についての初期計数装填が終了する。
【００６２】
包装硬貨についての初期計数装填の場合には、図６を参照して、まず、係員が、前述したように各カセット７２に包装硬貨Ｋを補充する。その後、制御部１７は、計数部７８をスライドさせて各カセット７２内の包装硬貨Ｋの金種を識別したり、計数したりする。ここでの識別および計数に応じて、制御部１７は、各カセット７２における包装硬貨Ｋの収納数を、包装硬貨Ｋの金種と関連付けて記憶部８１に記憶する。なお、制御部１７は、計数部７８による計数の直前におけるカセット７２での収納数と、今回の計数の後における同じカセット７２での収納数との差を、このカセット７２に対する今回の包装硬貨Ｋの補充数として算出することもできる。
【００６３】
追加計数装填は、施設Ａの営業時間中に両替機１Ａに紙幣および／または硬貨を補充するための内部処理である。紙幣についての追加計数装填の場合には、図４を参照して、まず、係員が、入金庫３５Ｅを装置本体１０から取り出して、入金庫３５Ｅの代わりに、出金用の紙幣が収納された箱状の補充カセット３５Ｆを装置本体１０に装着する。補充カセット３５Ｆには、同じ金種の紙幣だけが収納されてもよいし、複数の金種の紙幣が混合した状態で収納されてもよい。制御部１７は、補充カセット３５Ｆ内の紙幣を、識別部４３を経由するように環状搬送路３７において反時計回りに搬送してから一時保留部３５Ｄに移し替える。この際に、リジェクト紙幣であると識別部４３によって識別された紙幣は、装填リジェクト部４０に搬送される。
【００６４】
次に、制御部１７は、一時保留部３５Ｄに移し替えられた紙幣を、識別部４３を経由するように環状搬送路３７において反時計回りに搬送してから第１出金庫３５Ａ〜第３出金庫３５Ｃに金種毎に振り分ける。この際に、リジェクト紙幣であると識別部４３によって識別された紙幣は、直前に一時保留部３５Ｄに移し替えられたときとは扱いが異なるので、装填リジェクト部４０でなく、出金リジェクト部４１に搬送される。制御部１７は、識別部４３による識別に応じて、第１出金庫３５Ａ〜第３出金庫３５Ｃに振り分けられる金種毎の紙幣の補充数を把握し、この補充数に基づいて、第１出金庫３５Ａ〜第３出金庫３５Ｃについて記憶部８１に記憶された紙幣の収納数を更新する。これにより、紙幣についての追加計数装填が終了する。この後、補充カセット３５Ｆは、入金庫３５Ｅとして機能する。
【００６５】
バラ硬貨についての追加計数装填の場合には、図５を参照して、まず、係員が、出金用のバラ硬貨が収納された補充用硬貨出金庫５５Ａを装置本体１０に装着する。補充用硬貨出金庫５５Ａには、追加計数装填すべき金種（例えば五十円硬貨）のバラ硬貨が収納されている。制御部１７は、補充用硬貨出金庫５５Ａ内のバラ硬貨を、補充用硬貨出金庫５５Ａの底部の識別部５７を経由させてから対応する第１硬貨出金庫５５Ｂ〜第４硬貨出金庫５５Ｅに金種毎に振り分ける（例えば五十円硬貨を追加計数装填する場合には破線の矢印Ｙ３を参照）。この際に、リジェクト硬貨（識別不能硬貨や金種間違い硬貨）であると識別部５７によって識別されたバラ硬貨は、バラ硬貨出金口２４に搬送されて係員によって回収される。
【００６６】
制御部１７は、識別部５７による識別に応じて、第１硬貨出金庫５５Ｂ〜第４硬貨出金庫５５Ｅに振り分けられる金種毎のバラ硬貨の補充数を把握し、この補充数に基づいて、第１硬貨出金庫５５Ｂ〜第４硬貨出金庫５５Ｅについて記憶部８１に記憶されたバラ硬貨の収納数を更新する。これにより、バラ硬貨についての追加計数装填が終了する。なお、包装硬貨Ｋについての追加計数装填の手順は、前述した初期計数装填の手順と同じである。
【００６７】
回収は、営業時間の終了後に実行される。ただし、紙幣の場合には、図４を参照して、係員が、第１出金庫３５Ａ〜第３出金庫３５Ｃを装置本体１０から取り出し、出金リジェクト部４１からリジェクト紙幣を取り出すことによって、回収が終了するので、制御部１７による処理は特にない。一方、バラ硬貨についての回収の場合には、図５を参照して、まず、係員が、補充用硬貨出金庫５５Ａを装置本体１０から取り外し、補充用硬貨出金庫５５Ａの代わりに、空の回収箱５５Ｆを装置本体１０に装着する。
【００６８】
次に、制御部１７は、例えば第１硬貨出金庫５５Ｂ内のバラ硬貨を、回収箱５５Ｆに移し替える（破線の矢印Ｙ２を参照）。この際に、リジェクト硬貨であると第１硬貨出金庫５５Ｂの底部の識別部５７によって識別されたバラ硬貨は、出金リジェクト部６８に搬送される。識別部５７の識別および計数に応じて、制御部１７は、回収箱５５Ｆに移し替えられる直前における第１硬貨出金庫５５Ｂ内のバラ硬貨の収納数を、このバラ硬貨の金種と関連付けて記憶部８１に記憶する。制御部１７が、第１硬貨出金庫５５Ｂと同様の処理を、第２硬貨出金庫５５Ｃ〜第４硬貨出金庫５５Ｅのそれぞれについて繰り返すと、バラ硬貨についての回収が終了する。
【００６９】
なお、回収の途中において回収箱５５Ｆが満杯になると、この回収箱５５Ｆは、係員によって、新しい空の回収箱５５Ｆに交換される。また、第１硬貨出金庫５５Ｂのバラ硬貨が回収箱５５Ｆに移し替えられると回収箱５５Ｆが交換されて、第２硬貨出金庫５５Ｃのバラ硬貨が新しい回収箱５５Ｆに移し替えられるように、第２硬貨出金庫５５Ｃ〜第４硬貨出金庫５５Ｅのそれぞれに応じて回収箱５５Ｆが新しいものに交換されてもよい。もちろん、回収箱５５Ｆには、複数の金種のバラ硬貨が混合した状態で収納されてもよい。また、回収箱５５Ｆには、同じ金種のバラ硬貨だけが収納され、回収する金種が変わる度に回収箱５５Ｆが交換されてもよく、この場合には、高額の金種のバラ硬貨から回収箱５５Ｆに収納されるとよい。
【００７０】
精査は、紙幣の場合には収納庫３５における紙幣を一旦全て環状搬送路３７に繰り出して、識別部４３によって再識別および再計数をすることによって収納庫３５内の紙幣の真偽等および収納数を確認してから、取り出した紙幣を元の収納庫３５に戻す内部処理である。精査には、紙幣についての入金精査と、紙幣、バラ硬貨および包装硬貨についての出金精査とがある。
【００７１】
入金精査の場合には、図４を参照して、まず、制御部１７は、入金庫３５Ｅ内の紙幣を、識別部４３を経由するように環状搬送路３７において反時計回りに搬送してから一時保留部３５Ｄに移し替える。この際、リジェクト紙幣であると識別部４３によって識別された紙幣は、入金リジェクト部３９に搬送される。入金リジェクト部３９に搬送された紙幣は、係員によって取り出されて紙幣入出金口２９またはいずれかの補充トレイ４２にセットされる。制御部１７は、このようにセットされた紙幣を、識別部４３を経由させてから一時保留部３５Ｄに搬送する。その際、前回と同様にリジェクト紙幣であると識別部４３によって識別された紙幣について、先ほど紙幣入出金口２９にセットされた紙幣は、再び入金リジェクト部３９に搬送され、先ほど補充トレイ４２にセットされた紙幣は、装填リジェクト部４０に搬送される。
【００７２】
その後、制御部１７は、一時保留部３５Ｄに移し替えた紙幣を、再び識別部４３を経由するように環状搬送路３７において時計回りに搬送してから入金庫３５Ｅに戻す。この際、制御部１７は、識別部４３による識別および計数に応じて、入金庫３５Ｅにおける紙幣の最新の収納数を取得するとともに、今まで記憶部８１に記憶されていた直前の収納数と比較する。最新の収納数と直前の収納数とが一致した場合、または、最終的に装填リジェクト部４０や入金リジェクト部３９に搬送された紙幣の枚数を最新の収納数に足し合わせて得られる値と直前の収納数とが一致した場合には、入金精査が無事終了する。なお、入金精査は、この実施形態では、入金が行われる紙幣処理部１４だけで実行されるが、バラ硬貨処理部１５および包装硬貨処理部１６に硬貨の入金機能があれば、バラ硬貨処理部１５および包装硬貨処理部１６においても入金精査が実行されてもよい。
【００７３】
紙幣の出金精査の場合には、まず、制御部１７は、例えば第１出金庫３５Ａ内の紙幣を、識別部４３を通さずに一時保留部３５Ｄに移し替えた後に（破線の矢印Ｙ１を参照）、識別部４３を経由するように環状搬送路３７において反時計回りに搬送してから第１出金庫３５Ａに戻す。一時保留部３５Ｄから第１出金庫３５Ａに向かう紙幣は、識別部４３によって識別される。この際に、リジェクト紙幣であると識別された紙幣は、出金リジェクト部４１に搬送される。制御部１７は、第１出金庫３５Ａと同様の処理を、第２出金庫３５Ｂおよび第３出金庫３５Ｃのそれぞれについて繰り返す。
【００７４】
第１出金庫３５Ａ、第２出金庫３５Ｂおよび第３出金庫３５Ｃのそれぞれから出金リジェクト部４１に搬送された紙幣は、係員によって取り出されて紙幣入出金口２９またはいずれかの補充トレイ４２にセットされる。制御部１７は、このようにセットされた紙幣を、識別部４３を経由させてから一時保留部３５Ｄに搬送する。その際、前回と同様にリジェクト紙幣であると識別部４３によって識別された紙幣について、先ほど紙幣入出金口２９にセットされた紙幣は、入金リジェクト部３９に搬送され、補充トレイ４２にセットされた紙幣は、装填リジェクト部４０に搬送される。
【００７５】
その後、制御部１７は、一時保留部３５Ｄに移し替えた紙幣を、再び識別部４３を経由するように環状搬送路３７において反時計回りに搬送してから第１出金庫３５Ａ〜第３出金庫３５Ｃに金種毎に振り分ける。この際に、リジェクト紙幣であると識別された紙幣は、出金リジェクト部４１に搬送される。制御部１７は、識別部４３による識別および計数に応じて、第１出金庫３５Ａ〜第３出金庫３５Ｃのそれぞれについて、紙幣の最新の収納数を取得するとともに、今まで記憶部８１に記憶されていた直前の収納数と比較する。最新の収納数と直前の収納数とが一致した場合、または、最終的に装填リジェクト部４０や入金リジェクト部３９や出金リジェクト部４１に搬送された紙幣の枚数を最新の収納数に足し合わせて得られる値と直前の収納数とが一致した場合には、第１出金庫３５Ａ〜第３出金庫３５Ｃのそれぞれについての出金精査が無事終了する。
【００７６】
バラ硬貨の出金精査の場合には、図５を参照して、まず、制御部１７は、例えば第１硬貨出金庫５５Ｂ内のバラ硬貨を、補充用硬貨出金庫５５Ａに移し替えた後に（破線の矢印Ｙ２を参照）、補充用硬貨出金庫５５Ａの底部の識別部５７を経由させてから第１硬貨出金庫５５Ｂに戻す（破線の矢印Ｙ３を参照）。この際に、リジェクト硬貨であると識別部５７によって識別された紙幣は、出金リジェクト部６８に搬送される。制御部１７は、第１硬貨出金庫５５Ｂと同様の処理を、第２硬貨出金庫５５Ｃ〜第４硬貨出金庫５５Ｅのそれぞれについて繰り返す。
【００７７】
第１硬貨出金庫５５Ｂ〜第４硬貨出金庫５５Ｅのそれぞれから出金リジェクト部６８に搬送されたバラ硬貨は、係員によって取り出されて補充用硬貨出金庫５５Ａにセットされる。制御部１７は、このようにセットされたバラ硬貨を、補充用硬貨出金庫５５Ａの底部の識別部５７を経由させて、第１硬貨出金庫５５Ｂ〜第４硬貨出金庫５５Ｅのそれぞれに金種毎に振り分ける。この際に、リジェクト硬貨であると識別部５７によって識別された紙幣は、バラ硬貨出金口２４に搬送される。制御部１７は、識別部５７による識別および計数に応じて、第１硬貨出金庫５５Ｂ〜第４硬貨出金庫５５Ｅのそれぞれについて、バラ硬貨の最新の収納数を取得するとともに、今まで記憶部８１に記憶されていた直前の収納数と比較する。最新の収納数と直前の収納数とが一致した場合、または、最終的にバラ硬貨出金口２４に搬送されたバラ硬貨の枚数を最新の収納数に足し合わせて得られる値と直前の収納数とが一致した場合には、第１硬貨出金庫５５Ｂ〜第４硬貨出金庫５５Ｅのそれぞれについての出金精査が無事終了する。
【００７８】
包装硬貨Ｋについての出金精査の場合には、図６を参照して、まず、制御部１７は、計数部７８をスライドさせて各カセット７２内の包装硬貨Ｋを識別および計数する。制御部１７は、計数部７８による識別および計数に応じて、各カセット７２内の包装硬貨Ｋの最新の収納数を取得するとともに、今まで記憶部８１に記憶されていた直前の収納数と比較する。最新の収納数と直前の収納数とが一致すれば、各カセット７２の包装硬貨Ｋについての出金精査が無事終了する。
【００７９】
以上のような内部処理には、例えば初期計数装填や精査のように処理時間が長いものがある。例えば、精査の場合は、最長の所要時間が２０分程度になることもある。そこで、両替機１Ａは、内部処理中に両替機１Ａから離れた係員に内部処理の終了を終了通知として通知するように構成されている。内部処理の終了通知の通知先に関する通知先情報と、終了通知に含まれる内容とは、事前に設定されて記憶部８１に記憶されている。別の貨幣処理装置１（ここでは、ＡＴＭ１Ｂや出納機１Ｃ）や報知装置２や携帯端末３は、両替機１Ａに対する外部機器あって、終了通知における複数の通知先となる。記憶部８１は、これらの通知先のそれぞれに対応する通知先情報を記憶している。通知先情報とは、通知先を特定するための情報であり、具体的には、各貨幣処理装置１の識別情報の一例である号機番号や、各報知装置２の号機番号や、携帯端末３のＩＰアドレスやメールアドレス等である。係員は、表示操作部２３の操作等によって通知先情報を記憶部８１に記憶させることにより、内部処理の終了通知の通知先を設定できる。
【００８０】
次に、終了通知に関連して制御部１７が実行する処理について、図８のフローチャートと、図９〜図１３における表示操作部２３での表示内容とを参照しながら説明する。まず、ログインのために係員が表示操作部２３を操作することによって自身のＩＤ等を入力したり、自身のＩＤカードをカード挿入口２６に挿入したりすると、制御部１７は、係員のＩＤを照合した後に、表示操作部２３に、図９に示すメニュー画面８５を表示する。メニュー画面８５では、「実行する処理を選択して下さい」という見出しの下の領域に、前述した初期計数装填、追加計数装填、入金精査、出金精査といった各内部処理の名称を１つずつ示した複数のタッチキー８６が、並んで表示されている。係員は、該当するタッチキー８６にタッチすることによって、これから実行したい１つまたは複数の内部処理を選択できる（例えば「初期計数装填処理」を選択したとする）。なお、係員は、メニュー画面８５の下端に表示された取消キー８７にタッチすれば、先ほどの選択を取り消すことができる。
【００８１】
このように内部処理の選択があると（ステップＳ１においてＹＥＳ）、制御部１７は、内部処理の終了に応じて終了通知をすることが係員によって設定されたか否かを確認する（ステップＳ２）。具体的に、メニュー画面８５において、いずれかの内部処理のタッチキー８６がタッチされた後に、取消キー８７がタッチされることなく所定時間が経過すると、制御部１７は、表示操作部２３に、図１０に示す通知設定画面８８を表示させる。通知設定画面８８では、「〇○処理終了の通知先を指定して下さい」という見出し（ここでの「〇○処理」は、メニュー画面８５から選択された内部処理であり、以下同様）の下の領域に、予め登録された通知先である外部機器の名称を１つずつ示した複数のタッチキー８９が、並んで表示されている。係員が、いずれかのタッチキー８９にタッチすることによって、終了通知の通知先を１つまたは複数選択することができる。
【００８２】
また、タッチキー８９にタッチした係員は、通知設定画面８８においてタッチキー８９よりも下側に表示されたオプション設定キー９０にタッチすることによって、終了通知について、その通知のタイミングや、終了通知に含まれる情報を詳しく設定できる。具体的には、係員がオプション設定キー９０にタッチすると、通知設定画面８８には、例えば図１１に示すポップアップ画面８８Ａが重ねて表示される。
【００８３】
係員は、ポップアップ画面８８Ａにタッチしたり、表示操作部２３に設けられたテンキー等を含む入力部（図示せず）を操作したりすることによって、ポップアップ画面８８Ａの入力欄８８Ｂに終了通知のタイミングを入力したり、ポップアップ画面８８Ａのチェックボックス８８Ｃにチェックを入れて、終了通知に含まれる情報を指定したりすることができる。また、ポップアップ画面８８Ａにおける別のチェックボックス８８Ｄにチェックを入れることによって、両替機１Ａにおいて異常が発生したときの通知をするか否かも設定できる（詳しくは後述する）。このようにオプション設定した係員は、ポップアップ画面８８Ａにおいて「閉じる」と表示されたタッチキー８８Ｅにタッチすることによって、ポップアップ画面８８Ａを閉じることができる。
【００８４】
係員が、終了通知の通知先を指定し、必要に応じてポップアップ画面８８Ａにおいてオプション設定した後に、通知設定画面８８の下端の決定キー９１（図１０参照）にタッチすると、制御部１７は、終了通知の設定があったと判断する（ステップＳ２においてＹＥＳ）。つまり、制御部１７は、係員による表示操作部２３に対する今回の操作によって、少なくとも通知先の指定を受け付ける。そして、制御部１７は、終了通知の設定内容を記憶してから（ステップＳ３）、ステップＳ４の処理に進む。ここでの設定内容は、指定された通知先を少なくとも含み、オプション設定がされた場合には、オプション設定の内容も含む。なお、係員が、通知設定画面８８の下端に「戻る」と表示されたタッチキー９２（図１０参照）にタッチすれば、制御部１７は、表示操作部２３の表示内容を通知設定画面８８からメニュー画面８５に切り換える。
【００８５】
係員が、通知設定画面８８において、いずれのタッチキー８９にタッチすることなく、決定キー９１にタッチすると、制御部１７は、終了通知の設定がなかったと判断し（ステップＳ２においてＮＯ）、ステップＳ４の処理に進む。ステップＳ４において、制御部１７は、表示操作部２３に、図１２に示す確認画面９３を表示する。確認画面９３には、「〇○処理を開始します」という見出しの下の領域に、実行キー９４と取消キー９５とが並んで表示されている。係員が実行キー９４にタッチすることによって内部処理の実行を指示すると（ステップＳ４においてＹＥＳ）、制御部１７は、先ほど選択された内部処理を開始する（ステップＳ５）。内部処理として初期計数装填処理が選択された場合には、係員が、装填すべき貨幣を対応する位置にセットし、装置本体１０を閉じて実行キー９４を押下することにより、初期計数装填処理が開始される。係員が取消キー９５にタッチすることによって内部処理の実行をキャンセルすると（ステップＳ４においてＮＯ）、制御部１７は、表示操作部２３の表示内容を確認画面９３からメニュー画面８５（図９参照）に切り換えて、内部処理についての新たな選択を待つ。
【００８６】
現在実行中の内部処理が終了すると（ステップＳ６においてＹＥＳ）、制御部１７は、今回の内部処理について終了通知がステップＳ２において設定されていたか否かを確認する（ステップＳ７）。内部処理が終了したタイミングを終了タイミングという。終了通知が設定されている場合には（ステップＳ７においてＹＥＳ）、制御部１７は、指定された通知先に対応する通知先情報を記憶部８１において参照し、この通知先情報から特定される通知先（複数ある場合には全ての通知先）に終了通知を行う（ステップＳ８）。例えば、携帯端末３が通知先として設定されている場合には、制御部１７は、内部処理の終了に応じて、通知先として設定された当該携帯端末３のメールアドレスに終了通知を送信するので、内部処理（ここでは〇○処理）が終了した旨のメッセージが携帯端末３の表示部３Ａに表示される（図１参照）。そのため、離れた場所にいる使用者の携帯端末３を通知先として指定しておけば、この使用者に内部処理の終了を速やかに通知できる。
【００８７】
また、携帯端末３以外の外部機器が通知先として設定されている場合がある。例えば、両替機１Ａ以外の別の貨幣処理装置１が通知先として設定されていて係員が当該別の貨幣処理装置１の周辺で作業している場合には、両替機１Ａにおける内部処理の終了に応じて、当該別の貨幣処理装置１の表示部（表示操作部２３に相当する部分）に、内部処理が終了した旨のメッセージが表示される。また、報知装置２が通知先として設定されていて係員が当該報知装置２の周辺で作業している場合には、内部処理の終了に応じて、終了通知を受けた報知装置２のモニタの表示部に、内部処理が終了した旨のメッセージが表示されたり、回転灯が点灯したり、ブザーが鳴ったりする。もちろん、管理装置４が通知先として設定されてもよく、この場合には、内部処理の終了に応じて、管理装置４のモニタの表示部（図示せず）に、内部処理が終了した旨のメッセージが表示される。
【００８８】
なお、携帯端末３を含む各外部機器への終了通知は、終了通知の内容を両替機１Ａから外部機器に無線によって直接送信する方法や、ＬＡＮ５によって送信する方法や、管理装置４、公衆回線６または管理センター７経由で送信する方法によって行われる。両替機１Ａが複数存在する場合には、終了通知には、どの両替機１Ａにおいて内部処理が終了したのかが分かるように、両替機１Ａの号機番号が含まれるとよい。また、外部機器おいて終了通知を受け取った係員が、この外部機器の操作部（例えば携帯端末３に表示されたタッチキー等）を操作することによって、終了通知を確認した旨を両替機１Ａに返信できてもよい。制御部１７は、所定時間が経過しても返信がなければ、先ほど終了通知を送った外部機器に対して、督促の通知を送信してもよい。
【００８９】
そして、制御部１７は、今回の内部処理（例えば、「初期計数装填処理」）を実行した両替機１Ａの表示操作部２３に、図１３に示す終了画面９６を表示する（ステップＳ９）。終了画面９６の表示は、終了通知が設定されていない場合においても（ステップＳ７においてＮＯ）、実行される。終了画面９６では、「〇○処理が終了しました」という見出しの下の領域に、内部処理の内容（図１３では紙幣、バラ硬貨および包装硬貨についての初期計数装填）と、内部処理の結果に関する情報（図１３では、初期計数装填後の紙幣、バラ硬貨および包装硬貨の金種毎の収納数および合計金額）とが表示されている。例えば精査での結果に関する情報には、精査の前後における収納数の一致または不一致という情報も含まれる。
【００９０】
携帯端末３等の通知先に通知される終了通知も、このような内部処理の結果に関する情報を含んでもよい。このことは、前述したようにオプション設定にて選択できる（図１１参照）。内部処理の結果に関する情報が含まれた終了通知を受けた使用者は、離れた場所にいる状態において、内部処理の結果を速やかに把握し、その後の対応のための準備をすることができる。
【００９１】
そして、終了通知を受け取った係員が、内部処理の終了した両替機１Ａに戻って終了画面９６の下端の完了キー９７にタッチすると、制御部１７は、表示操作部２３の表示内容を終了画面９６からメニュー画面８５に切り換える。制御部１７は、終了通知を送ってから所定時間が経過しても係員が完了キー９７にタッチしない場合には、先ほど終了通知を送った外部機器に対して、督促の通知を送信してもよい。
【００９２】
前述した通知先情報は、係員のＩＤと関連付けて記憶部８１に予め登録されてもよく、その場合には、係員がログインのためにＩＤを入力したりＩＤカードを挿入したりすれば、制御部１７は、この係員に関連付けられた通知先情報、つまり、この係員が望む通知先を速やかに取得する。その後、係員によってメニュー画面８５（図９参照）において内部処理が選択されると、表示操作部２３において、通知設定画面８８（図１０参照）を表示せずに、確認画面９３（図１１参照）を速やかに表示する。そのため、係員は、通知設定画面８８において通知先を選択する手間を省略できる。
【００９３】
また、通知先情報は、記憶部８１に予め記憶されなくてもよい。この場合には、両替機１Ａには、取得手段の一例としての読取部９８が設けられている（図３および図７参照）。読取部９８は、近距離通信機能を備え、例えばＩＣリーダによって構成される。所望の内部処理をこれから開始したい係員が自身の携帯端末３を読取部９８に近づけると、読取部９８は、携帯端末３から、当該携帯端末３を通知先とするための通知先情報（前述したメールアドレス等）を非接触で読み取って取得し、記憶部８１に新たに記憶する。この場合には、既に終了通知の設定があって、終了通知の通知先が携帯端末３であることが明らかなので、制御部１７は、メニュー画面８５において内部処理が選択されると、表示操作部２３において、通知設定画面８８を表示せずに、確認画面９３を速やかに表示する。この場合、両替機１Ａは、内部処理の直前に携帯端末３から通知先情報を取得すれば、当該携帯端末３を通知先として終了通知を行うことができる。これにより、当該携帯端末３を携帯する使用者に内部処理の終了を速やかに通知できる。特に、通知先の事前登録が不要になるので、係員が急に交替した場合には、新しい係員は、自身の携帯端末３を読取部９８にかざすだけで、この携帯端末３に終了通知が届くように簡単に設定できる。
【００９４】
係員が、前述した終了タイミングよりも前の任意のタイミング（例えば１０分前の指定タイミング）において通知先に終了通知を行うように、オプション設定している場合がある（図１１参照）。この場合には、制御部１７は、前述したステップＳ６において、終了タイミングではなく、終了タイミングよりも前の指定タイミングになると（ステップＳ６においてＹＥＳ）、通知先に終了通知を行う（ステップＳ８）。具体的には、制御部１７は、現在実行中の内部処理の終了タイミング（換言すれば内部処理の所要時間）を、両替機１Ａ内の貨幣の収納数について記憶部８１が記憶している最新の値（処理すべき枚数）や、過去の所要時間等に基づいた演算によって、終了見込みタイミングとして特定する。そして、この終了見込みタイミングの所定時間前（例えば１０分前）になると、制御部１７は、通知先に終了通知を行う。そのため、使用者に内部処理の終了を事前に通知できる。この終了通知は、内部処理の終了までの残り時間に関する情報を含んでもよく、例えば、あと何分で内部処理が終了するという旨の通知である。これにより、使用者は、通知された終了通知から、当該残り時間を把握できるので、例えば終了タイミングに間に合うように両替機１Ａに戻ることができる。終了タイミングよりどれ位前に終了通知をするかや、終了通知が残り時間に関する情報を含むか否かは、オプション設定にて選択できる（図１１参照）。例えば、係員が両替機１Ａの近くにいれば、終了タイミングの直前に終了通知が行われればよく、係員が両替機１Ａから離れていれば、係員が両替機１Ａに戻る時間を考慮して、終了通知のタイミングが早めに定められる。
【００９５】
なお、内部処理の終了タイミングや、終了タイミングよりも前のタイミングに終了通知を行うことだけでなく、場合によっては終了タイミングよりも若干後のタイミングに終了通知を行ってもよい。終了タイミングよりどれ位後に終了通知をするかは、オプション設定にて選択できる。
【００９６】
両替機１Ａは、検知手段の一例としての異常検知センサ９９を含む（図７参照）。異常検知センサ９９は、内部処理における異常の発生を検知する。異常の一例は、例えば貨幣の搬送路（前述した環状搬送路３７等）におけるジャムである。異常発生を通知する設定が有ることを前提として（図１１参照）、異常検知センサ９９が異常発生を検知した場合に、制御部１７は、異常発生を通知先に即座に通知してもよい。この場合、通知先となる使用者は、異常発生を速やかに把握して、異常を速やかに解消できる。
【００９７】
この発明は、以上の実施形態の内容に限定されるものではなく、請求項に記載の範囲内において種々の変更が可能である。
【００９８】
例えば、通知先への内部処理の終了通知は、前述した両替機１Ａに限らず、他の貨幣処理装置１においても行われる。さらに、終了通知を行える貨幣処理装置１として、前述した両替機１Ａ、ＡＴＭ１Ｂおよび出納機１Ｃだけでなく、売上金が入出金される装置（図示せず）や、売上金の回収対象である自動販売機（図示せず）も挙げられる。
【符号の説明】
【００９９】
１      貨幣処理装置
２      報知装置
３      携帯端末
１０    装置本体
１７    制御部
２３    表示操作部
８１    記憶部
９８    読取部
９９    異常検知センサ
１００  貨幣処理システム
【図１】
2017199116.tif 000003
【図２】
2017199116.tif 000004
【図３】
2017199116.tif 000005
【図４】
2017199116.tif 000006
【図５】
2017199116.tif 000007
【図６】
2017199116.tif 000008
【図７】
2017199116.tif 000009
【図８】
2017199116.tif 000010
【図９】
2017199116.tif 000011
【図１０】
2017199116.tif 000012
【図１１】
2017199116.tif 000013
【図１２】
2017199116.tif 000014
【図１３】
2017199116.tif 000015